(57)【要約】【課題】ロールスクリーンユニットを平坦な状態で垂れ下げることができるコードレスロールスクリーン構造を提供する。【解決手段】コードレスロールスクリーン構造は、フレームユニット１、スクリーン巻取ユニット２及びスクリーンユニット３を備えるとともに、窓に取付けられる。フレームユニット１は、固定レール１１と、固定レール１１の両端に対となるように設けられた２つの側座１２と、側座１２間に横設されて側座１２にそれぞれ接続される巻取装置１３とを有する。スクリーン巻取ユニット２は、巻布２１及び重り杆２２を有する。巻布２１の頂端は、フレームユニット１の巻取装置１３に固着される。巻布２１は、巻取装置１３の作動により巻き上げたり繰り出されて垂れ下げられたりする。巻布２１の底端には、スクリーン管部２１１が縫着される。スクリーン管部２１１には、生地３１が巻かれて縫着される。【選択図】図１
0003203582.tif 000002
【実用新案登録請求の範囲】
【請求項１】
フレームユニット、スクリーン巻取ユニット及びスクリーンユニットを備えるとともに、窓に取付けられるコードレスロールスクリーン構造であって、
前記フレームユニットは、固定レールと、前記固定レールの両端に対となるように設けられた２つの側座と、前記側座間に横設されて前記側座にそれぞれ接続される巻取装置と、を有し、
前記スクリーン巻取ユニットは、巻布及び重り杆を有し、前記巻布の頂端は、前記フレームユニットの前記巻取装置に固着され、前記巻布は、前記巻取装置の作動により巻き上げたり繰り出されて垂れ下げられたりし、前記巻布の底端には、スクリーン管部が縫着され、前記スクリーン管部には、生地が巻かれて縫着され、前記重り杆は、前記巻布の前記スクリーン管部内に配設され、
前記スクリーンユニットは、前記生地、前記重り杆及び複数の挟持装置を有し、前記生地は、頂端が前記フレームユニットの前記固定レールの後側上縁に固定されて垂れ下げられ、底端が前記スクリーン管部に縫着され、前記スクリーン管部には、前記生地が巻かれて縫着され、前記重り杆は、前記生地の前記スクリーン管部内に配設され、前記挟持装置は、前記スクリーンユニットの前記生地の前面にそれぞれ上下に配列され、前記挟持装置は、前記スクリーン巻取ユニットが垂れ下げられたときに挟持して平坦な状態に保持するために用いることを特徴とするコードレスロールスクリーン構造。
【請求項２】
前記スクリーンユニットの前記生地の頂端には、前記フレームユニットの前記固定レールの後側上縁に互いに対となる接続アセンブリが設けられ、
前記接続アセンブリにより前記スクリーンユニットと前記フレームユニットとが着脱自在の関係にあることを特徴とする請求項１に記載のコードレスロールスクリーン構造。
【請求項３】
前記接続アセンブリは面ファスナであることを特徴とする請求項２に記載のコードレスロールスクリーン構造。
【請求項４】
前記スクリーンユニットの前記生地の頂端には、延伸部が延設されていることを特徴とする請求項２に記載のコードレスロールスクリーン構造。
【請求項５】
前記スクリーンユニットの前記生地の前面には、上下に配列された複数の穿孔スリーブが縫着され、
前記穿孔スリーブには、前記挟持装置が挿設されていることを特徴とする請求項１に記載のコードレスロールスクリーン構造。
【請求項６】
前記穿孔スリーブは、布材料が前記生地の前面に縫着されて形成されることを特徴とする請求項５に記載のコードレスロールスクリーン構造。
【請求項７】
前記挟持装置は、杆体、２つの挟持ブロック及び複数の固定部材を有し、
前記杆体は、前記穿孔スリーブ内に配設され、
前記挟持ブロックは、前記杆体の両端にそれぞれ配設され、前記固定部材が螺着されて前記杆体に押し付けられ、前記杆体に固定されることを特徴とする請求項５に記載のコードレスロールスクリーン構造。
【請求項８】
前記挟持ブロックには、枢着部が設けられ、
前記枢着部の一側端には、前記杆体が枢着される挿着孔が凹設され、前記枢着部の前端には、前記挿着孔と連通する螺着孔が形成され、前記螺着孔は、階段状であり、前記固定部材はネジであり、前記枢着部の前端には、横方向に延びた挟持杆が延設されていることを特徴とする請求項７に記載のコードレスロールスクリーン構造。
【考案の詳細な説明】
【技術分野】
【０００１】
本考案は、コードレスロールスクリーン構造に関し、特に、ロールスクリーンを平坦な状態で垂れ下げるコードレスロールスクリーン構造に関する。
【背景技術】
【０００２】
従来の電動ロールスクリーン（図８を参照する）は、巻取ユニット５及びスクリーン６を含む。巻取ユニット５には、軸心５１が設けられる。スクリーン６の頂端は、巻取ユニット５の軸心５１に固着され、軸心５１の回転によりスクリーン６を軸心５１の外側に巻き取ったり繰り出したりし、安全かつ容易に操作することができるという特性を有する。
【０００３】
しかし、従来技術では、巻取ユニット５の軸心５１が回転するとスクリーン６が自動的に巻き取られるが、スクリーン６が下向きに繰り出されるときに、両側辺を支える力が十分でないため両側が曲がり、スクリーン６を展開したときに平坦でなくなることがあるため、電動ロールスクリーンを使用すると見た目があまり良くなく、改善が求められていた。
【考案の概要】
【考案が解決しようとする課題】
【０００４】
本考案の主な目的は、ロールスクリーンユニットを平坦な状態で垂れ下げることができるコードレスロールスクリーン構造を提供することにある。
【課題を解決するための手段】
【０００５】
上記課題を解決するために、本考案の第１の形態によれば、フレームユニット、スクリーン巻取ユニット及びスクリーンユニットを備えるとともに、窓に取付けられるコードレスロールスクリーン構造であって、前記フレームユニットは、固定レールと、前記固定レールの両端に対となるように設けられた２つの側座と、前記側座間に横設されて前記側座にそれぞれ接続される巻取装置と、を有し、前記スクリーン巻取ユニットは、巻布及び重り杆を有し、前記巻布の頂端は、前記フレームユニットの前記巻取装置に固着され、前記巻布は、前記巻取装置の作動により巻き上げたり繰り出されて垂れ下げられたりし、前記巻布の底端には、スクリーン管部が縫着され、前記スクリーン管部には、生地が巻かれて縫着され、前記重り杆は、前記巻布の前記スクリーン管部内に配設され、前記スクリーンユニットは、前記生地、前記重り杆及び複数の挟持装置を有し、前記生地は、頂端が前記フレームユニットの前記固定レールの後側上縁に固定されて垂れ下げられ、底端が前記スクリーン管部に縫着され、前記スクリーン管部には、前記生地が巻かれて縫着され、前記重り杆は、前記生地の前記スクリーン管部内に配設され、前記挟持装置は、前記スクリーンユニットの前記生地の前面にそれぞれ上下に配列され、前記挟持装置は、前記スクリーン巻取ユニットが垂れ下げられたときに挟持して平坦な状態に保持するために用いることを特徴とするコードレスロールスクリーン構造が提供される。
【考案の効果】
【０００６】
本考案のコードレスロールスクリーン構造は、ロールスクリーンユニットを平坦な状態で垂れ下げることができる。
【図面の簡単な説明】
【０００７】
【図１】本考案の一実施形態に係るコードレスロールスクリーン構造を示す斜視図である。
【図２】本考案の一実施形態に係るコードレスロールスクリーン構造を示す分解斜視図である。
【図３】本考案の一実施形態に係るコードレスロールスクリーン構造の挟持装置を示す分解斜視図である。
【図４】本考案の一実施形態に係るコードレスロールスクリーン構造のスクリーン巻取ユニットを展開したときの状態を示す説明図である。
【図５】図４のＡ部分の部分拡大図である。
【図６】本考案の一実施形態に係るコードレスロールスクリーン構造を窓に取り付けて使用するときの状態を示す説明図（１）である。
【図７】本考案の一実施形態に係るコードレスロールスクリーン構造を窓に取り付けて使用するときの状態を示す説明図（２）である。
【図８】従来のロールスクリーンを示す斜視図である。
【考案を実施するための形態】
【０００８】
まず、図１〜図７を参照する。図１〜図７に示すように、本考案の一実施形態に係るコードレスロールスクリーン構造は、少なくともフレームユニット１、スクリーン巻取ユニット２、スクリーンユニット３及び挟持装置４から構成されてなる。
【０００９】
フレームユニット１は、金属材料からなる。金属材料は、銅、ステンレス、アルミニウム、亜鉛又は鉄からなる。フレームユニット１は、固定レール１１を含んで長尺状を呈する。２つの側座１２は、固定レール１１の両端に互いに対となるように設けられる。２つの側座１２と固定レール１１とは着脱自在の関係にある。巻取装置１３は、２つの側座１２間に横設されて２つの側座１２に結合される。
【００１０】
スクリーン巻取ユニット２は、所定の長さに切断されて形成された巻布２１を含む。巻布２１の頂端は、フレームユニット１の巻取装置１３に固着される。巻布２１は、巻取装置１３の作動により巻き上げたり繰り出されて垂れ下げられたりし、巻布２１の底端にはスクリーン管部２１１が縫着される。スクリーン管部２１１には、巻布２１が巻かれて縫着される。重り杆２２は、巻布２１のスクリーン管部２１１内に配設される。
【００１１】
スクリーンユニット３は、所定の長さに切断されて形成された生地３１を有する。生地３１は、頂端がフレームユニット１の固定レール１１の後側上縁に固定されて垂れ下げられ、底端がスクリーン管部３１１に縫着されている。スクリーン管部３１１には、生地３１が巻かれて縫着される。重り杆３２は、生地３１のスクリーン管部３１１内に配設されている。
【００１２】
各挟持装置４は、スクリーンユニット３の生地３１の前面にそれぞれ上下に配列される。各挟持装置４は、スクリーン巻取ユニット２が垂れ下げられたときに挟持してスクリーン巻取ユニット２を平坦な状態にするために用いる。
【００１３】
以下、上述の構造について詳しく説明する。スクリーンユニット３の生地３１の頂端と、フレームユニット１の固定レール１１の後側上縁とには、接続アセンブリ３３が設けられる。接続アセンブリ３３によりスクリーンユニット３とフレームユニット１とは着脱自在の関係にある。接続アセンブリ３３は面ファスナである。スクリーンユニット３の生地３１の頂端には、延伸部３１２が延設されている。
【００１４】
スクリーンユニット３の生地３１の前面には、上下に配列された複数の穿孔スリーブ３４が縫着される。各穿孔スリーブ３４には、挟持装置４が挿設される。穿孔スリーブ３４は、布材料が生地３１の前面に縫着されて形成される。
【００１５】
各挟持装置４は、杆体４１、２つの挟持ブロック４２及び複数の固定部材４３を有する。杆体４１は、穿孔スリーブ３４内に配設される。挟持ブロック４２は、杆体４１の両端にそれぞれ配設される。固定部材４３は、各挟持ブロック４２に螺着され、杆体４１に押し付けられ、杆体４１と２つの挟持ブロック４２とが固定される。各挟持ブロック４２には、枢着部４２１が設けられる。枢着部４２１の一側端には、杆体４１が枢着される挿着孔４２１１が凹設されている。枢着部４２１の前端には、挿着孔４２１１と連通する螺着孔４２１２が形成されている。螺着孔４２１２は、固定部材４３を螺着して杆体４１に押し付けるために用いる。枢着部４２１の螺着孔４２１２は、階段状である。固定部材４３はネジでもよい。枢着部４２１の前端には、横方向に延びた挟持杆４２２が延設されている。本考案の一実施形態に係るコードレスロールスクリーン構造を窓に取り付ける場合、コードレスロールスクリーンをドア、窓枠に掛合させるか当接させた後、スクリーン巻取ユニット２の巻布２１を引っ張り下げて位置決めさせる。スクリーン巻取ユニット２の巻布２１は、状況に応じて半分だけ垂れ下げた状態にしてもよいし、下まで完全に垂れ下げた状態にしてもよく（図７を参照する）、スクリーンユニット３の生地３１の前面には、上下に配列された複数の穿孔スリーブ３４が縫着される。各穿孔スリーブ３４には、挟持装置４がそれぞれ挿入される。挟持装置４は、杆体４１、２つの挟持ブロック４２及び複数の固定部材４３を有する。杆体４１は、穿孔スリーブ３４内に挿設される。挟持ブロック４２は、杆体４１の両端にそれぞれ配設される。複数の固定部材４３は、挟持ブロック４２に螺着されて杆体４１に押し付けられ、杆体４１と２つの挟持ブロック４２とが固定される。スクリーン巻取ユニット２が垂れ下げられると、スクリーン巻取ユニット２の巻布２１の底端に配設された重り杆２２により、巻布２１の重さが中央部に集中し、各挟持装置４の２つの挟持ブロック４２の挟持杆４２２を組み合わせて巻布２１の両側辺を挟持する。この構成により、スクリーン巻取ユニット２が垂れ下げられたときに平坦な状態に保持され、自宅及び事務所のドア又は窓枠の見た目を良くし、室内の採光状態を改善し、輝度を高めるとともに、太陽光線が直接照射されて眩しく感じたり温度が上昇したりする問題を改善することができる。さらにロールスクリーンを垂れ下げて平坦な状態に維持してもよい。
【符号の説明】
【００１６】
１  フレームユニット
２  スクリーン巻取ユニット
３  スクリーンユニット
４  挟持装置
５  巻取ユニット
６  スクリーン
１１  固定レール
１２  側座
１３  巻取装置
２１  巻布
２２  重り杆                                                            
３１  生地
３２  重り杆
３３  接続アセンブリ
３４  穿孔スリーブ
４１  杆体
４２  挟持ブロック
４３  固定部材
５１  軸心
２１１  スクリーン管部
３１１  スクリーン管部
３１２  延伸部
４２１  枢着部
４２２  挟持杆
４２１１  挿着孔
４２１２  螺着孔
【図１】
0003203582.tif 000003
【図２】
0003203582.tif 000004
【図３】
0003203582.tif 000005
【図４】
0003203582.tif 000006
【図５】
0003203582.tif 000007
【図６】
0003203582.tif 000008
【図７】
0003203582.tif 000009
【図８】
0003203582.tif 000010